(57)【要約】【課題】電子機器の内部への風雨の侵入をより確実に防止できるシール部材及びこれを備えたカメラユニットを提供する。【解決手段】電子機器２の一面２ａから引き出されたケーブル１２の周囲をシールするためのシール部材Ｂであって、一面２ａに直接的または間接的に密着する取付け面１５と、取付け面１５と一体形成され、ケーブル１２の引出し方向に突出してケーブル１２の外周に密着する筒状部１７とを備える。また、筒状部１７と取付け面１５とを縦割り状に分割して構成する。【選択図】図４
2018056863.tif 000002
【特許請求の範囲】
【請求項１】
電子機器の一面から引き出されたケーブルの周囲をシールするためのシール部材であって、
前記一面に直接的または間接的に密着する取付け面と、該取付け面と一体形成され、前記ケーブルの引出し方向に突出して前記ケーブルの外周に密着する筒状部とを備えるとともに、
前記筒状部と前記取付け面とを縦割り状に分割して構成されていることを特徴とするシール部材。
【請求項２】
請求項１記載のシール部材において、
前記取付け面を形成する取付け部に、締付具によって前記電子機器にシール部材を固定して取り付けるための取付け孔が設けられていることを特徴とするシール部材。
【請求項３】
請求項１または請求項２に記載のシール部材において、
前記筒状部が、内面から前記筒状部の軸線中心の径方向内側に突出しつつ周方向に繋がり、前記ケーブルの外周に密着する環状の内側リブを備えていることを特徴とするシール部材。
【請求項４】
請求項１から請求項３のいずれか一項に記載のシール部材において、
前記取付け面から前記筒状部と反対側に突設されるとともに、前記ケーブルの周囲の少なくとも一部を囲むように配設される先端リブを備えていることを特徴とするシール部材。
【請求項５】
請求項１から請求項４のいずれか一項に記載のシール部材において、
前記取付け面から前記筒状部と反対側に突出するとともに、前記電子機器と、前記電子機器に一体に取り付けられて前記電子機器の一面及び前記取付け面の間に介設される電子機器取付用部材との少なくとも一方に係合しシール部材を位置決め保持する係止部を備えていることを特徴とするシール部材。
【請求項６】
請求項１から請求項５のいずれか一項に記載のシール部材において、
前記筒状部の軸線を含む面を分割面として縦割り状に二分割して形成され、一対の分割片が同形同大で形成されていることを特徴とするシール部材。
【請求項７】
請求項３記載のシール部材において、
前記内側リブが、前記ケーブルの外周に密着するとともに前記ケーブルを前記電子機器側に押圧する誘導押圧部を備えていることを特徴とするシール部材。
【請求項８】
電子機器であるカメラと、前記カメラの一面から引き出されたケーブルの周囲をシールするためのシール部材とを備え、
前記シール部材が請求項１から請求項７のいずれか一項に記載のシール部材であることを特徴とするカメラユニット。
【発明の詳細な説明】
【技術分野】
【０００１】
本発明は、シール部材及びこれを備えたカメラユニットに関する。
【背景技術】
【０００２】
車両の後方や側方など、運転者の視認性が悪い車外部位を映し出し、この映像を運転者が運転席で見て交通安全を図ることができるため、車載カメラを搭載した車両が増えている。特に、バスやトラックなどの大型車では、車載カメラが交通安全、安全運転を図るための非常に有効な手段となっている。
【０００３】
一方、車載カメラを車外に取り付け、車後方を撮影する場合などでは、車の進行方向に対して撮像方向が逆向きになるように車載カメラを取り付けることになる。すなわち、車載カメラの後部が車両の進行方向前方を向くことになる。このため、車載カメラのケーブル引出し口（ケーブル挿通孔）がある後面（一面）側が風雨の影響を大きく受けることになり、ケーブル引出し口を通じてカメラ内部に風雨が侵入し、画像不良を招くおそれがあった。
【０００４】
このため、関連する技術における車載カメラなどの電子機器は、グロメットを設けるなどしてそのケーブル引出し口、ケーブルの根本部にシール処理を施し、防水性等を確保するようにしている（例えば、特許文献１参照）。
【先行技術文献】
【特許文献】
【０００５】
【特許文献１】特開２０１４−７５８２５号公報
【発明の概要】
【発明が解決しようとする課題】
【０００６】
しかしながら、グロメット等によるシール処理においては、例えばケーブルを取り回した際にケーブルの根本部が屈曲し、このケーブルの屈曲に伴ってシール処理した部位に隙間が生じるなどし、車載カメラなどの電子機器の内部に風雨が侵入するおそれがあった。
【０００７】
上記事情に鑑み、本発明は、電子機器の内部への風雨の侵入をより確実に防止できるシール部材及びこれを備えたカメラユニットを提供することを目的とする。
【課題を解決するための手段】
【０００８】
本発明のシール部材は、電子機器の一面から引き出されたケーブルの周囲をシールするためのシール部材であって、前記一面に直接的または間接的に密着する取付け面と、該取付け面と一体形成され、前記ケーブルの引出し方向に突出して前記ケーブルの外周に密着する筒状部とを備えるとともに、前記筒状部と前記取付け面とを縦割り状に分割して構成されていることを特徴とする。
【０００９】
この発明においては、筒状部と取付け面とを縦割り状に分割した複数の分割片をケーブルの根本部を筒状部で内包するように組み付けるとともに、ケーブルの引出し口がある電子機器の一面に取付け面を密着させ、且つ筒状部の内部を挿通するケーブルの外周に筒状部を密着させることができる。
これにより、シール部材によってケーブルの根本部を位置決め保持することができ、ケーブルの根本部の屈曲を防止できる。また、ケーブルの根本部の屈曲を防止できることにより、ケーブルの引出し口に隙間が生じることを防止できる。さらに、ケーブルの引き抜けを防止することもできる。
【００１０】
また、本発明のシール部材においては、前記取付け面を形成する取付け部に、締付具によって前記電子機器にシール部材を固定して取り付けるための取付け孔が設けられていることが望ましい。
【００１１】
この発明においては、例えばビスなどの締付具を取付け孔に挿通して電子機器に固着させることにより、シール部材を電子機器に固定して取り付けることができる。これにより、確実にケーブルの根本部を位置決め保持することができる。
【００１２】
さらに、本発明のシール部材においては、前記筒状部が、内面から前記筒状部の軸線中心の径方向内側に突出しつつ周方向に繋がり、前記ケーブルの外周に密着する環状の内側リブを備えていることがより望ましい。
【００１３】
この発明においては、筒状部に、その内面から径方向内側に突出し、周方向に繋がる環状の内側リブが設けられていることにより、複数の分割片を組み付けるとともに、内側リブをケーブルの外周に密着させることができる。そして、複数の分割片を組み付けた状態で内側リブが環状を呈するように配設されるため、内側リブによってケーブルの根本部を位置決め保持することができるとともに、内側リブのシール効果（遮蔽効果）によって筒状部の内部を通じて風雨が電子機器のケーブル引出し口側に侵入することを防止できる。
【００１４】
また、本発明のシール部材においては、前記取付け面から前記筒状部と反対側に突設されるとともに、前記ケーブルの周囲の少なくとも一部を囲むように配設される先端リブを備えていることがより望ましい。
【００１５】
この発明においては、取付け面から筒状部と反対側に突設され、且つケーブルの周囲の少なくとも一部を囲むように配設された先端リブの突出方向先端が電子機器の一面に当接するなどして、シール部材ひいてはケーブルの根本部をさらに確実に位置決め保持することが可能になる。
【００１６】
また、本発明のシール部材においては、前記取付け面から前記筒状部と反対側に突出するとともに、前記電子機器と、前記電子機器に一体に取り付けられて前記電子機器の一面及び前記取付け面の間に介設される電子機器取付用部材との少なくとも一方に係合しシール部材を位置決め保持する係止部を備えていることが望ましい。
【００１７】
この発明においては、取付け面から筒状部と反対側に突出する係止部が、電子機器や、電子機器に取り付けられて電子機器を所定の位置に固定して取り付けるための電子機器取付用部材に係合することによって、さらに確実にシール部材ひいてはケーブルの根本部を位置決め保持することが可能になる。
【００１８】
また、本発明のシール部材においては、前記筒状部の軸線を含む面を分割面として縦割り状に二分割して形成され、一対の分割片が同形同大で形成されていることがより望ましい。
【００１９】
この発明においては、筒状部の軸線を含む面を分割面として縦割り状に二分割して形成され、一対の分割片が同形同大で形成されていることにより、一方の分割片と他方の分割片を同じ金型を用いて製造することができる。これにより、シール部材を効率的且つ経済的に生産することが可能になる。また、シール部材の取扱性、利便性を高めることも可能になる。
【００２０】
また、本発明のシール部材においては、前記内側リブが、前記ケーブルの外周に密着するとともに前記ケーブルを前記電子機器側に押圧する誘導押圧部を備えていることがさらに望ましい。
【００２１】
この発明においては、複数の分割片を組み付け、内側リブをケーブルの外周に密着させるとともに、内側リブの誘導押圧部によって筒状部の内部を挿通するケーブルに対し、電子機器側に押圧する力を作用させることができる。これにより、ケーブルの引抜けをより効果的に防止することができ、且つ、確実にケーブルの位置決め保持することが可能になる。
【００２２】
本発明のカメラユニットは、電子機器であるカメラと、前記カメラの一面から引き出されたケーブルの周囲をシールするためのシール部材とを備え、前記シール部材が上記のいずれかに記載のシール部材であることを特徴とする。
【００２３】
この発明においては、上記のシール部材による作用効果を得ることが可能になる。
【発明の効果】
【００２４】
本発明のシール部材及びこれを備えたカメラユニットにおいては、シール部材によって、カメラなどの電子機器のケーブル引出し口から引き出されたケーブルの根本部を位置決め保持することができる。これにより、シール部材をケーブルの根本部に取り付けることで、ケーブルの根本部が屈曲することを防止でき、また、ケーブルの引抜けを防止でき、さらに、シール部材がケーブルに密着することで風雨の侵入を防止できる。
【００２５】
よって、本発明のシール部材及びこれを備えたカメラユニットによれば、ケーブルを取り回すなどしてもケーブル引出し口／ケーブル根本部に隙間が生じることがなく、より確実にカメラなどの電子機器の内部に風雨が侵入することを防止できる。
【図面の簡単な説明】
【００２６】
【図１】本発明の一実施形態に係るカメラユニットを示す前方側から見た斜視図である。
【図２】本発明の一実施形態に係るカメラユニットを示す後方側から見た斜視図である。
【図３】本発明の一実施形態に係るカメラユニットを示す後方側から見た斜視図であり、シール部材を取り外した状態を示す図である。
【図４】本発明の一実施形態に係るカメラユニット及びシール部材を示す後方側から見た斜視図であり、第１取付ブラケットを取り外した状態を示す図である。
【図５】本発明の一実施形態に係るシール部材を示す前方側から見た斜視図である。
【図６】本発明の一実施形態に係るシール部材を示す後方側から見た斜視図である。
【図７】本発明の一実施形態に係るシール部材の縦断面図（分割片の側面図）である。
【図８】本発明の一実施形態に係るシール部材、ケーブルの根本部を示す縦断面図である。
【図９】本発明の一実施形態に係るシール部材、ケーブルの根本部を示す縦断面図である。
【発明を実施するための形態】
【００２７】
以下、図１から図９を参照し、本発明の一実施形態に係るシール部材及びこれを備えたカメラユニットについて説明する。
【００２８】
ここで、本実施形態では、本発明に係る電子機器がカメラユニットであるものとし、さらにカメラユニットが車載カメラユニットであるものとし、本発明に係るシール部材が車載カメラユニットに設けられ、車載カメラの内部に風雨が侵入することを防止するための部材であるものとして説明を行う。
【００２９】
本実施形態の車載カメラユニットは、車両の後方（リア）や前方（フロント）、側面（サイド）に取り付け、車両の周辺を車内の液晶モニタなどの表示装置に表示させることによって運転者の視覚を補助するためのものである。
【００３０】
具体的に、本実施形態の車載カメラユニットＡは、図１及び図２に示すように、車両の所定位置に固定するための第１取付ブラケット１と、車両の周囲の画像を取得するためのカメラ（車載カメラ）２と、カメラ２を固着して支持するとともに第１取付ブラケット１に取り付けて支持させるための第２取付ブラケット（電子機器取付用部材）３と、カメラ２の内部に風雨が侵入することを防止するためのシール部材Ｂとを備えて構成されている。
【００３１】
第１取付ブラケット１は、略平板状に形成されるとともに車両にビス留め、接着などして固着される取付板部５と、略平板状に形成され、取付板部５の幅方向両側部からそれぞれ同方向に突設された一対のカメラ取付壁部６とを備えて断面略コ字状に形成されている。
【００３２】
また、一対のカメラ取付壁部６にはそれぞれ外面から内面に貫通し、円弧状に延びる長孔状のカメラ位置決め孔７が設けられている。一対のカメラ位置決め孔７は同径同大で形成されるとともに幅方向に対向配置されている。
【００３３】
第２取付ブラケット３は、図３及び図４（図１、図２参照）に示すように、略平板状でＬ字状に形成されるとともにカメラ２の後部側（カメラ２のケーブル引出し口が形成された一面２ａ）にビス留めして一体に固着されるカメラ固定部８と、略平板状に形成され、カメラ固定部８の幅方向両側部からそれぞれ同方向に突設された一対の取付け支持壁部９とを備えて形成されている。
【００３４】
また、カメラ固定部８のカメラ２の後部側に固着される部分には、外面から内面に貫通し、幅方向に直交する上下方向に延びるスリット状の切欠き部１０が設けられている。一対の取付け支持壁部９には、外面から内面に貫通するビス孔１１が設けられている。
【００３５】
そして、図１から図３に示すように、カメラ固定部８をビス留めして第２取付ブラケット３と一体にカメラ２を取り付けた状態で、第１取付ブラケット１の一対のカメラ取付壁部６の間にカメラ２及び第２取付ブラケット３が挿入配置される。これとともに、一対のカメラ位置決め孔７に外側からビスを挿通し、これらビスを第２取付ブラケット３の一対の取付け支持壁部９のビス孔１１に螺合させることにより、第１取付ブラケット１にカメラ２が第２取付ブラケット３を介して取り付け支持される。また、このとき、カメラ２の後部のケーブル引出し口から引き出されたケーブル１２がカメラ固定部８のスリット状の切欠き部１０を挿通して所定の引出方向に延設されている。
【００３６】
なお、一対のカメラ位置決め孔７が円弧状の長孔状に形成されているため、カメラ位置決め孔７の所望の位置でビス留め固定することにより、カメラ２の向きを任意の方向に自在に調節できる。
【００３７】
一方、本実施形態のシール部材Ｂは、図２及び図４に示すように、第２取付ブラケット３のカメラ固定部８の外面に一体に取り付けられ、ケーブル１２の根本部を位置決め保持してケーブル１２の屈曲を防止するとともに、カメラ２の後部の一面２ａに設けられたケーブル引出し口からカメラ２の内部に風雨が侵入することを防止するためのものである。
【００３８】
そして、本実施形態のシール部材Ｂは、図２、図４、図５から図７、図８、図９に示すように、カメラ２の一面２ａに第２取付ブラケット３のカメラ固定部８を介して間接的に密着する取付け面１５を備えた略方形平板状の取付け部１６と、取付け部１６（取付け面１５）と一体形成され、ケーブル１２の引出方向に突出してケーブル１２の外周に密着する筒状部１７とを備えて構成されている。
【００３９】
また、このシール部材Ｂは、取付け部１６（取付け面１５）と筒状部１７を縦割り状に分割して構成されている。さらに、本実施形態では、筒状部１７の軸線Ｏ１を含む面を分割面として縦割り状に二分割して形成され、一対の分割片Ｂ１、Ｂ２が同形同大で形成されている。
【００４０】
各分割片Ｂ１、Ｂ２の取付け部１６には、ビス（締付具）１８によって第２取付ブラケット３ひいてはカメラ２にシール部材Ｂを固定して取り付けるための取付け孔２０が設けられている。
【００４１】
各分割片Ｂ１、Ｂ２の取付け部１６には、取付け面１５から筒状部１７と反対側に突設されるとともに、ケーブル１２の周囲の少なくとも一部を囲むように先端リブ２１が設けられている（図８参照）。
【００４２】
各分割片Ｂ１、Ｂ２の取付け部１６には、取付け面１５から筒状部１７と反対側に突出するとともに、カメラ２の一面２ａと取付け面１５の間に介設される第２取付ブラケット３のカメラ固定部８の側端部に係合しシール部材Ｂを位置決め保持するための係止部２２が設けられている。なお、係止部２２は、第２取付ブラケット３のカメラ固定部８ではなく、カメラ２に係合してシール部材Ｂを位置決め保持するように設けられてもよい。
【００４３】
また、本実施形態の係止部２２は、取付け面１５から突出する軸部２２ａと、軸部２２ａの先端側から取付け部１６の幅方向内側に突出するとともに、その先端面が軸部２２ａの先端から後端側に向かうに従い漸次取付け部１６の幅方向内側に傾斜する傾斜面を備えるラッチ部２２ｂとで構成されている。
【００４４】
さらに、取付け部１６には、係止部２２を好適に弾性変形させるための貫通孔２３が係止部２２の基端の近傍に貫通形成されている。
【００４５】
次に、シール部材Ｂの筒状部１７は、内面から筒状部１７の軸線Ｏ１中心の径方向内側に突出しつつ周方向に繋がり、ケーブル１２の外周に密着する環状の内側リブ２４を備えて形成されている。
【００４６】
また、内側リブ２４は、ケーブル１２の外周に密着するとともにケーブル１２をカメラ２側に押圧する誘導押圧部２５を備えている（図９参照）。本実施形態では、誘導押圧部２５が筒状部１７の内面から突出方向先端に向かうに従い漸次カメラ２側に傾斜するようにして構成されている。
【００４７】
そして、上記構成からなる本実施形態のシール部材Ｂ及びこれを備えたカメラユニットＡにおいては、筒状部１７と取付け部１６（取付け面１５）とを縦割り状に分割した複数の分割片Ｂ１、Ｂ２をケーブル１２の根本部を筒状部１７で内包するように組み付けるとともに、結束バンド２６で複数の分割片Ｂ１、Ｂ２を締め付けて一体にする（図４参照）。
【００４８】
このようにシール部材Ｂを取り付けると、ケーブル１２の引出し口があるカメラ２の一面２ａに第２取付ブラケット３のカメラ固定部８を介して間接的に取付け面１５を密着させ、且つ筒状部１７の内部を挿通するケーブル１２の外周に筒状部１７を密着させることができる。
【００４９】
これにより、シール部材Ｂによってケーブル１２の根本部を位置決め保持することができ、ケーブル１２の根本部の屈曲を防止できる。また、ケーブル１２の根本部の屈曲を防止できることにより、ケーブル１２の引出し口に隙間が生じることを防止できる。さらに、ケーブル１２の引き抜けを防止することもできる。
【００５０】
なお、本実施形態では、ケーブル１２の根本部にグロメット２７が設けられ、シール部材Ｂによってグロメット２７と引出し口、グロメット２７とケーブル１２の外周の間に隙間が生じることを確実に防止できる（図８、図９参照）。
【００５１】
また、ビスなどの締付具１８を取付け孔２０に挿通してカメラ２に固着させることにより、シール部材Ｂをカメラ２に固定して取り付けることができる。これにより、確実にケーブル１２の根本部を位置決め保持することができる。
【００５２】
さらに、筒状部１７に、その内面から径方向内側に突出し、周方向に繋がる環状の内側リブ２４が設けられていることにより、複数の分割片Ｂ１、Ｂ２を組み付けるとともに、内側リブ２４をケーブル１２の外周に密着させることができる。
【００５３】
そして、複数の分割片Ｂ１、Ｂ２を組み付けた状態で内側リブ２４が環状を呈するように配設されるため、内側リブ２４によってケーブル１２の根本部を位置決め保持することができるとともに、内側リブ２４のシール効果（遮蔽効果）によって筒状部１７の内部を通じて風雨がカメラ２のケーブル引出し口側に侵入することを防止できる。
【００５４】
また、取付け面１５から筒状部１７と反対側に突設され、且つケーブル１２の周囲の少なくとも一部を囲むように配設された先端リブ２１の突出方向先端がグロメット２７と第２取付ブラケット３のカメラ固定部８に形成されたスリット状の切欠き部１０の周端との間の隙間に配され、グロメット２７を内包するように配設される。さらに、先端リブ２１の突出方向先端がカメラ２の一面２ａに当接する。これにより、シール部材Ｂひいてはケーブル１２の根本部をさらに確実に位置決め保持することが可能になる（図８参照）。
【００５５】
また、取付け面１５から筒状部１７と反対側に突出する係止部２２が第２取付ブラケット３のカメラ固定部８の側端部に係合することによって、さらに確実にシール部材Ｂひいてはケーブル１２の根本部を位置決め保持することが可能になる（図９参照）。
【００５６】
また、筒状部１７の軸線Ｏ１を含む面を分割面として縦割り状に二分割して形成され、一対の分割片Ｂ１、Ｂ２が同形同大で形成されていることにより、一方の分割片Ｂ１と他方の分割片Ｂ２を同じ金型を用いて製造することができる。これにより、シール部材Ｂを効率的且つ経済的に生産することが可能になる。また、シール部材Ｂの取扱性、利便性を高めることも可能になる。
【００５７】
また、複数の分割片Ｂ１、Ｂ２を組み付け、内側リブ２４をケーブル１２の外周に密着させるとともに、内側リブ２４の誘導押圧部２５によって筒状部１７の内部を挿通するケーブル１２に対し、カメラ２側に押圧する力を作用させることができる。これにより、ケーブル１２の引抜けをより効果的に防止することができ、且つ、確実にケーブル１２の位置決め保持することが可能になる。
【００５８】
このように、本実施形態のシール部材Ｂ及びこれを備えたカメラユニットＡにおいては、シール部材Ｂによって、カメラ２のケーブル引出し口から引き出されたケーブル１２の根本部を位置決め保持することができる。これにより、シール部材Ｂをケーブル１２の根本部に取り付けることで、ケーブル１２の根本部が屈曲することを防止でき、また、ケーブル１２の引抜けを防止でき、さらに、シール部材Ｂがケーブル１２に密着することで風雨の侵入を防止できる。
【００５９】
よって、本実施形態のシール部材Ｂ及びこれを備えたカメラユニットＡによれば、ケーブル１２を取り回すなどしてもケーブル引出し口／ケーブル根本部に隙間が生じることがなく、より確実にカメラ２の内部に風雨が侵入することを防止できる。
【００６０】
以上、本発明に係るシール部材及びこれを備えたカメラユニットの一実施形態について説明したが、本発明は上記の実施形態に限定されるものではなく、その趣旨を逸脱しない範囲で適宜変更可能である。
【００６１】
例えば、本発明に係る電子機器はカメラ２に限定する必要はなく、本発明に係るシール部材Ｂはあらゆる電子機器に取り付け、その電子機器のケーブル引出し口／ケーブルの根本部をシール処理するために適用可能である。そして、この場合においても、本実施形態と同様の作用効果を得ることが可能である。
【符号の説明】
【００６２】
１      第１取付ブラケット（電子機器取付用部材）
２      カメラ（電子機器）
２ａ    一面
３      第２取付ブラケット（電子機器取付用部材）
５      取付板部
６      カメラ取付壁部
７      カメラ位置決め孔
８      カメラ固定部
９      取付け支持壁部
１０    切欠き部
１１    ビス孔
１２    ケーブル
１５    取付け面
１６    取付け部
１７    筒状部
１８    ビス（締付具）
２０    取付け孔
２１    先端リブ
２２    係止部
２２ａ  軸部
２２ｂ  ラッチ部
２３    貫通孔
２４    内側リブ
２５    誘導押圧部
２６    結束バンド（接合手段）
２７    グロメット
Ａ      カメラユニット
Ｂ      シール部材
Ｂ１    分割片
Ｂ２    分割片
Ｏ１    軸線
【図１】
2018056863.tif 000003
【図２】
2018056863.tif 000004
【図３】
2018056863.tif 000005
【図４】
2018056863.tif 000006
【図５】
2018056863.tif 000007
【図６】
2018056863.tif 000008
【図７】
2018056863.tif 000009
【図８】
2018056863.tif 000010
【図９】
2018056863.tif 000011